(57)【要約】      （修正有）【課題】河川や海洋に油が流出された際、少ない人手で短時間内に流出された油を回収することで環境汚染の防止ができる油回収装置を提供する。【解決手段】吸い込みホース１１を通じて吸い込みポンプ２０と連結される吸い込み部１０と、吸い込み部１０から吸い込まれる水と油との混合物を格納し、上部に設けられる油排出口３１を備え、底の近傍の水の排出ができるように水排出バルブ３２を備える第１の貯水槽３０と、第１の貯水槽３０の油排出口３１に連結され、上部に油排出口３１の高さより低い高さで油貯蔵タンク４３に油を排出する油排出バルブ４１が設けられ、下部に水排出バルブ４２が設けられる第２の貯水槽４０を含んで構成される。【選択図】図２
2015030455.tif 000002
【特許請求の範囲】
【請求項１】
海洋や河川に漏出されて浮遊している油を吸い込み、吸い込みホースを通じて吸い込みポンプと連結される吸い込み部と、
前記吸い込み部に吸い込み力を提供する吸い込みポンプと、
前記吸い込み部から吸い込まれる水と油との混合物を格納し、水上に浮遊している油を排出するように、上部に設けられる油排出口を備え、底の近傍の下部への水の排出ができるように水排出バルブを備える第１の貯水槽と、
前記第１の貯水槽の油排出口に連結され、前記第１の貯水槽に格納される水上に浮遊している油が流れ込むように格納し、上部に第１の貯水槽の油排出口の高さより低い高さで設けられ、油貯蔵タンクに油を排出する油排出バルブが設けられ、下部に格納された水を排出する水排出バルブが設けられる第２の貯水槽を含み、
前記吸い込み部は、前記吸い込みポンプに連結され、吸い込み力の提供を受ける吸い込みホースと、
前記吸い込みホースが内部に挿入される長さ調整管と、前記長さ調整管が上部から挿入される遮断板支持管と、海洋や河川に浮遊している油を吸い込むために、吸い込みホースの吸い込み口が水面と同一な水準に浮遊するように浮力を提供する浮き具と、前記吸い込みホースの吸い込み口から吸い込む際に、下に向いている吸い込み口の前面に一定間隔を空けて前記遮断板支持管の下端部に設けられ、水が直接に吸い込まれることを遮断するための遮断板と、前記遮断板支持管に挿入される長さ調整管を固定させる固定手段と、を含んで構成される
ことを特徴とする油回収装置。
【請求項２】
海洋や河川に漏出されて浮遊している油を吸い込み、吸い込みホースを通じて吸い込みポンプと連結される吸い込み部と、
前記吸い込み部に吸い込み力を提供する吸い込みポンプと、
前記吸い込み部から吸い込まれる水と油との混合物を格納し、水上に浮遊している油を排出するように、上部に設けられる油排出口を備え、底の近傍の下部への水の排出ができるように水排出バルブを備える第１の貯水槽と、
前記第１の貯水槽の油排出口に連結され、前記第１の貯水槽に格納される水上に浮遊している油が流れ込むように格納し、上部に第１の貯水槽の油排出口の高さより低い高さで設けられ、油貯蔵タンクに油を排出する油排出バルブが設けられ、下部に格納された水を排出する水排出バルブが設けられる第２の貯水槽を含み、
油回収装置を移動する移動手段の甲板にはウインチを設け、前記移動手段の側面の上端にはロープローラーを設けて、前記ウインチの回転リールに巻かれている昇降ロープが吸い込み部の遮断板に連結され、前記ウインチを動作させて前記昇降ロープを巻いたり解いたりして、前記吸い込み部が、油が浮遊している水面と適切な間隔を維持するようにする
ことを特徴とする油回収装置。
【請求項３】
海洋や河川に漏出されて浮遊している油を吸い込み、吸い込みホースを通じて吸い込みポンプと連結される吸い込み部と、
前記吸い込み部に吸い込み力を提供する吸い込みポンプと、
前記吸い込み部から吸い込まれる水と油との混合物を格納し、水上に浮遊している油を排出するように、上部に設けられる油排出口を備え、底の近傍の下部への水の排出ができるように水排出バルブを備える第１の貯水槽と、
前記第１の貯水槽の油排出口に連結され、前記第１の貯水槽に格納される水上に浮遊している油が流れ込むように格納し、上部に第１の貯水槽の油排出口の高さより低い高さで設けられ、油貯蔵タンクに油を排出する油排出バルブが設けられ、下部に格納された水を排出する水排出バルブが設けられる第２の貯水槽を含み、
前記第１の貯水槽と第２の貯水槽が第３の貯水槽の内部に設けられ、前記第１の貯水槽の上端部が第２の貯水槽の上端部より高さ差ｈ１だけ高くなるようにして、前記第２の貯水槽に満たされた油が溢れることで第１の貯水槽に逆流しないようにし、前記第３の貯水槽の底面には油排出口が設けられ、前記第３の貯水槽に満たされる油は前記油排出口を通じて油貯蔵タンクに格納される
ことを特徴とする油回収装置。
【請求項４】
前記貯水槽は４個以上であり、最外郭貯水槽の内部に残りの貯水槽を設け、第１の貯水槽と最外郭貯水槽との上端を他の貯水槽より高くなるようにして、第１の貯水槽から溢れる油が残りの貯水槽にずっと満たされて溢れることで、最外郭貯水槽の底面に形成された油排出口を通じて排出されるようにして、貯水槽の数に比例して純度の高い油を分離して油格納筒に格納されるようにすることを特徴とする、請求項３に記載の油回収装置。
【請求項５】
前記第１の貯水槽の底の近傍の下部に、吸い込みホースから供給される水が溢れないように水排出バルブを設けて水を外部に排出し、水位を調節することができる
請求項４に記載の油回収装置。
【請求項６】
前記最外郭貯水槽を除いた貯水槽の底面にはピストンがそれぞれ設けられ、前記ピストンを昇降させるピストンロッドがそれぞれの油圧シリンダーによって昇降するように構成される
請求項４に記載の油回収装置。
【請求項７】
前記第１の貯水槽の下部に溜まっている水を外部に抜くために、排水ホースを上から前記第１の貯水槽の底面まで下げて、排水ポンプによって水を排出させる
請求項４または６に記載の油回収装置。
【発明の詳細な説明】
【技術分野】
【０００１】
本発明は、油回収装置に関し、特に、河川及び海洋に流出された油を効果的に現場から回収し、水と油とを分離して、油のみを取り除くことができるようにして、汚染した自然環境の復旧ができ、綺麗な自然環境を保持することができる油回収装置に関する。
【背景技術】
【０００２】
一般的に、河川及び海洋を運航していた船舶（特に、原油輸送用油槽船）が座礁されると、船舶に積載していた油が流出され、河川と海洋を汚染させるなどの深刻な環境公害が誘発される。
このように流出された油は、効果的な回収作業が難しいため、油が潮流に乗って拡散し、沿岸で養殖中であった魚介類を皆殺し、漁民の経済を貧しくするなどの大型事故がたびたび発生する。
【０００３】
従来は、オイルフェンスによって閉じ込められた油の上に吸着布を投入し、油が吸収された吸着布をいちいち回収するような原始的な方法を利用していたため、回収作業に多くの人が動員されなければならないし、短時間内に流出された油を回収することが不可能であった。大量の油の流出は拡散速度が非常に速く、これによる汚染は海洋生態系の全体を脅威する可能性がある。
【０００４】
海洋汚染事故を予め防止するのが最善と言えるが、一応、海洋汚染事故が発生すれば、潮流と波、及び海水の拡散によって海洋汚染海域が急速に拡がるため、汚染事故に適切な方法で迅速に対処して、海洋汚染海域を最小化することが非常に重要であり、このような海上事故の際には、迅速且つ効率的な油の回収が急先務となる。
【０００５】
特許文献１には、海洋汚染事故の発生時、迅速に短時間内に流出油の回収が可能であり、効果的な海洋汚染の防除計画の打ち立て、及び汚染事故の処理のための人手及び費用の節減効果が得られる海上流出油の回収処理装置が、図１に示すように開示されている。
【０００６】
図１は、従来の技術による油回収装置の概略構成図であって、広範囲な水面上に分布された浮遊油を速やかに吸い込むように、海水面の一定水準に浮上され、広範囲な海水面の油を同時に吸い込む浮上吸い込み部材と、前記浮上吸い込み部材に吸い込み力が作用されるように、メインポンプ１によって高速に押送される流体が通過しながら発生される圧力降下によって吸い込み力を発生させるようにするイジェクター２を含む吸い込み手段と、前記吸い込み手段によって吸い込みされた混合流体を比重差に応じて分離し、油を分離した水が自動排出されるように、船底の一部分が開放された開放分離タンク７を含む多段階のタンクに区分して船体内に設けられる分離手段と、前記分離手段の流体を移送する多段階のポンプと、前記ポンプの稼動を調節制御するようにそれぞれの分離手段に設けられた水−油センサー５、５ａ、５ｂと、前記水−油センサーからの信号を受けて制御するコントロールパネル及びコントローラ８ａ、８ｂ、８ｃを含む移送制御手段で構成されている。
【０００７】
前記分離手段は、吸い込み手段から高速に流入され、混合された状態の流体を静かに安定化して、比重差に応じて相互分離されるように、多段階の隔板４ａに分離形成された安定化タンク４と、前記安定化タンク４から流入された混合流体を比重差に応じて分離し、前記分離された下側の水が自然的に排出されるように底面が開放された開放分離タンク６と、前記安定化タンク４と開放分離タンク６の上部に浮遊された油を移送制御手段によって吹き付けて供給し、最終的に水と油とを分離する分離タンク７で構成される。
【０００８】
この従来の技術による油回収装置は、部品が高価であり、多数の装置が複雑に連結されて動作する構成となっており、製作費用が高価であると共に、専門人材が操作しなければならないので非経済的であり、動作に多くの時間が掛かるという問題があった。
【先行技術文献】
【特許文献】
【０００９】
【特許文献１】大韓民国特許登録第１０−０２３９８２９号
【発明の概要】
【発明が解決しようとする課題】
【００１０】
本発明は、上記のような問題点を解決するために案出されたものであって、本発明の目的は、河川や海洋に油が流出された際、少ない人手で短時間内に流出された油を回収することで環境汚染の防止ができる油回収装置を提供することである。
【００１１】
本発明の他の目的は、ポンプの吸い込み力によって水と油とを吸い込み、貯水槽で水と油に分離し、河川及び海洋に流出された油を効率的に回収することができ、漁民の被害を最小化すると共に、環境汚染を防止して、快適な自然環境の提供ができる油回収装置を提供することである。
【００１２】
本発明のさらに他の目的は、外部貯水槽内に内部貯水槽を設け、内部貯水槽に海洋や河川などに浮遊している油と水とを吸い込んで供給することで、水上に浮遊する油を外部貯水槽に溢れるようにして、外部貯水槽で油のみを分離して貯水槽の体積を最小化し、最小限の費用で油の回収ができるようにして、小型船舶でも使用可能な油回収装置を提供することである。
【課題を解決するための手段】
【００１３】
上記の目的を達成するために、本発明に係る油回収装置は、海洋や河川に漏出されて浮遊している油を吸い込み、吸い込みホースを通じて吸い込みポンプと連結される吸い込み部と、前記吸い込み部に吸い込み力を提供する吸い込みポンプと、前記吸い込み部から吸い込まれる水と油との混合物を格納し、水上に浮遊している油を排出するように、上部に設けられる油排出口を備え、底の近傍の下部への水の排出ができるように水排出バルブを備える第１の貯水槽と、前記第１の貯水槽の油排出口に連結され、前記第１の貯水槽に格納される水上に浮遊している油が流れ込むように格納し、上部に第１の貯水槽の油排出口の高さより低い高さで設けられ、油貯蔵タンクに油を排出する油排出バルブが設けられ、下部に格納された水を排出する水排出バルブが設けられる第２の貯水槽を含んで構成される。
【００１４】
本発明の一実施の形態に係ると、吸い込み部は、前記吸い込みポンプに連結され、吸い込み力の提供を受ける吸い込みホースと、海洋や河川に浮遊している油を吸い込むために、吸い込みホースの吸い込み口が水面と同一な水準に浮遊するように浮力を提供する浮き具と、前記吸い込みホースの吸い込み口から吸い込む際に、下に向いている吸い込み口の前面に一定間隔を空けて設けられ、水が直接に吸い込まれることを遮断するための遮断板を含んで構成されることを特徴とする。
【００１５】
本発明の他の実施の形態に係る油回収装置は、海洋や河川に漏出されて浮遊している油を吸い込み、吸い込みホースを通じて吸い込みポンプと連結される吸い込み部と、前記吸い込み部に吸い込み力を提供する吸い込みポンプと、第２の貯水槽の内部に設けられ、前記吸い込み部に連結されて吸い込まれる水と油との混合物を格納し、底の近傍の下部への水の排出ができるように水排出バルブを備える第１の貯水槽と、前記第１の貯水槽を内部に含み、前記第１の貯水槽から溢れる油は底面に設けられた油排出口に排出して油貯蔵タンクに格納されるようにする第２の貯水槽と、を含んで構成されることを特徴とする。
【００１６】
本発明の一実施の形態に係ると、吸い込み部は、前記吸い込みポンプに連結されて吸い込み力の提供を受ける吸い込みホースと、前記吸い込みホースが内部に挿入される長さ調整管と、前記長さ調整管が上部から挿入される遮断板支持管と、海洋や河川に浮遊している油を吸い込むために、吸い込みホースの吸い込み口が水面と同一な水準に浮遊するように浮力を提供する浮き具と、前記吸い込みホースの吸い込み口から吸い込む際に、下に向いている吸い込み口の前面に一定間隔を空けて前記遮断板支持管の下端部に設けられ、水が直接に吸い込まれることを遮断するための遮断板と、前記遮断板支持管に挿入される長さ調整管を固定させる固定手段と、を含んで構成されることを特徴とする。
【００１７】
本発明の一実施の形態に係ると、油回収装置を移動する移動手段の甲板にはウインチを設け、前記移動手段の側面の上端にはロープローラーを設けて、前記ウインチの回転リールに巻かれている昇降ロープが吸い込み部の遮断板に連結され、前記ウインチを動作させて前記昇降ロープを巻いたり解いたりして、前記吸い込み部が、油が浮遊している水面と適切な間隔を維持するようにすることを特徴とする。
【００１８】
本発明の一実施の形態に係ると、第１の貯水槽と第２の貯水槽が第３の貯水槽の内部に設けられ、前記第１の貯水槽の上端部が第２の貯水槽の上端部より高さ差ｈ１だけ高くなるようにして、前記第２の貯水槽に満たされた油が溢れることで第１の貯水槽に逆流しないようにし、前記第３の貯水槽の底面には油排出口が設けられ、前記第３の貯水槽に満たされる油は前記油排出口を通じて油貯蔵タンクに格納されることを特徴とする。
【００１９】
本発明の一実施の形態に係ると、前記貯水槽は４個以上であり、最外郭貯水槽の内部に残りの貯水槽を設け、第１の貯水槽と最外郭貯水槽との上端を他の貯水槽より高くなるようにして、第１の貯水槽から溢れる油が残りの貯水槽にずっと満たされて溢れることで、最外郭貯水槽の底面に形成された油排出口を通じて排出されるようにして、貯水槽の数に比例して純度の高い油を分離して油格納筒に格納されるようにすることを特徴とする。
【００２０】
本発明の一実施の形態に係ると、第１の貯水槽の底の近傍の下部に、吸い込みホースから供給される水が溢れないように水排出バルブを設けて水を外部に排出し、水位を調節することができることを特徴とする。
【００２１】
本発明の一実施の形態に係ると、最外郭貯水槽を除いた貯水槽の底面にはピストンがそれぞれ設けられ、前記ピストンを昇降させるピストンロッドがそれぞれの油圧シリンダーによって昇降するように構成されることを特徴とする。
【００２２】
本発明の一実施の形態に係ると、第１の貯水槽の下部に溜まっている水を外部に抜くために、排水ホースを上から前記第１の貯水槽の底面まで下げて、排水ポンプによって水を排出させることを特徴とする。
【発明の効果】
【００２３】
上述したように、本発明に係ると、水と油とを分離する貯水槽の体積を半分水準に減少させ、小型船舶でも使用が可能であり、海上や河川などに漏出された油を、現場で油のみを分離して回収することで、漏出された油の回収能力が優れた防除船の建造が可能であり、海洋汚染事故の発生時に、迅速に短時間内に現場へ出動して漏出された油の回収が可能であるため、海洋汚染の効果的な防止ができ、汚染事故の処理のための人手及び費用の節減効果が得られる。
【図面の簡単な説明】
【００２４】
【図１】従来の技術による油回収装置の概略構成図
【図２】本発明に係る油回収装置の構成を示すブロック図
【図３ａ】本発明に係る吸い込み部の構成を示す斜視図
【図３ｂ】本発明に係る吸い込み部の他の実施の形態を示す斜視図
【図４ａ】本発明に係る油回収装置の他の実施の形態の説明図
【図４ｂ】本実施の形態に係る油回収装置を、図４ａの直線Ａ−Ａ線に沿って切断した断面図
【図５ａ】本発明に係る油回収装置の第３の実施の形態の説明図
【図５ｂ】本発明に係る油回収装置の第３の実施の形態の中心を通る直線に切断した断面図
【図６ａ】本発明に係る油回収装置の第４の実施の形態の説明図
【図６ｂ】本発明に係る油回収装置の第４の実施の形態の中心を通る直線に切断した断面図
【発明を実施するための形態】
【００２５】
以下、本発明の望ましい実施の形態を、添付された図面に基づいて詳しく説明すれば次のようである。
【００２６】
図２には、本発明に係る油回収装置の構成を示すブロック図が示されている。
【００２７】
本発明に係る油回収装置は、海洋や河川に漏出されて浮遊している油を吸い込み、吸い込みホース１１を通じて吸い込みポンプ２０と連結される吸い込み部１０と、前記吸い込み部１０に吸い込み力を提供する吸い込みポンプ２０と、前記吸い込み部１０から吸い込まれる水と油との混合物を格納し、水上に浮遊している油を排出するように、上部に設けられる油排出口３１を備え、底の近傍の下部への水の排出ができるように水排出バルブ３２を備える第１の貯水槽３０と、前記第１の貯水槽３０の油排出口３１に連結され、前記第１の貯水槽３０に格納される水上に浮遊している油が流れ込むように格納し、上部に第１の貯水槽３０の油排出口３１の高さより低い高さで設けられ、油貯蔵タンク４３に油を排出する油排出バルブ４１が設けられ、下部に格納された水を排出する水排出バルブ４２が設けられる第２の貯水槽４０を含んで構成される。
【００２８】
ここで、説明されていない符号１００は船を示し、油が浮遊している海洋や河川まで、陸地から近付く移動手段を意味する。
【００２９】
この際、前記第１の貯水槽３０及び第２の貯水槽４０の正面、後面、左側及び右側を構成する水槽壁体の中の何れか一つ以上を透明なガラスや合成樹脂材で構成し、内部の水位を外部から視覚的に正確に把握して措置できるように構成することが望ましい。
【００３０】
図３ａには、本発明に係る吸い込み部の構成を示す斜視図が示されており、図３ｂには、本発明に係る吸い込み部の他の実施の形態を示す斜視図が示されている。
【００３１】
本発明に係る吸い込み部１０は、前記吸い込みポンプ２０に連結されて吸い込み力の提供を受ける吸い込みホース１１と、海洋や河川に浮遊している油を吸い込むために、吸い込みホース１１の吸い込み口１１ａが水面と同一な水準に浮遊するように浮力を提供する浮き具１２と、前記吸い込みホース１１の吸い込み口１１ａから吸い込む際に、下に向いている吸い込み口１１ａの前面に一定間隔を空けて設けられ、水が直接に吸い込まれることを遮断するための遮断板１３で構成される。
【００３２】
吸い込みホース１１は、大量の水と油を吸い込むための直径を有する管からなるものであれば可能であり、合成樹脂材質や金属材質などで製作されることができる。吸い込みホース１１の吸い込み口１１ａの周辺には、浮き具１２が取り囲んで付着されており、浮き具１２の内部には空気が含まれており、吸い込み部１０の重さに耐えながら水面まで持ち上げることができる浮力を提供する。
【００３３】
吸い込みホース１１の吸い込み口１１ａの向かい側には、遮断板１３が浮き具１２に付着して設けられているため、吸い込み口１１ａに吸い込まれる水によって油が吸い込まれなくなる状態を防止する。
【００３４】
すなわち、吸い込み口１１ａの正面に設けられた遮断板１３によって、正面から水が吸い込まれずに側面から吸い込まれるようにして、浮き具１２によって吸い込み口１１ａが水面に浮遊している際、側面に穴がある吸い込み口のような役割をする。
【００３５】
大型船舶ではなく小型船舶でも、本発明に係る油回収装置を設け、作業者が手に取って水面に漂う油を回収するために、手に取って操作できる吸い込み部１０の他の実施の形態が図３ｂに示されている。
【００３６】
この実施の形態の吸い込み部１０は、前記吸い込みポンプ２０に連結されて吸い込み力の提供を受ける吸い込みホース１１と、前記吸い込みホース１１が内部に挿入される長さ調整管１５と、前記長さ調整管１５が上部から挿入される遮断板支持管１４と、海洋や河川に浮遊している油を吸い込むために、吸い込みホース１１の吸い込み口１１ａが水面と同一な水準に浮遊するように浮力を提供する浮き具１２と、前記吸い込みホース１１の吸い込み口１１ａから吸い込む際に、下に向いている吸い込み口１１ａの前面に一定間隔を空けて前記遮断板支持管１４の下端部に設けられ、水が直接に吸い込まれることを遮断するための遮断板１３と、前記遮断板支持管１４に挿入される長さ調整管１５を固定させる固定手段１７と、を含んで構成される。
【００３７】
ここで、説明されていない符号１６は、ユーザーが手に取って、遮断板支持管１４に挿入される長さ調整管１５の長さの調整ができるようにするハンドルであり、また、油回収作業の際に、ユーザーが手に取って水面に浮遊している油を回収することができる。
【００３８】
この実施の形態の吸い込み部１０は、長さ調整管１５と遮断板支持管１４が、吸い込みホース１１の挿入ができるように、内部が空いている管状であり、ここでは四角管に示しているが、円筒管も使用可能であり、他の多角形の管も使用可能である。
【００３９】
この実施の形態の吸い込み部１０は、小型船舶に本発明に係る油回収装置を設け、作業者が吸い込み部１０の長さ調整管１５やハンドル１６を手に取って、水面に漂う油の回収ができるように小型化したものである。
【００４０】
よって、吸い込みホース１１も作業者が手に取ることができる長さ調整管１５と遮断板支持管１４に挿入可能なサイズであり、遮断板１３と浮き具１２も作業者が取り扱うことができるサイズに製作される。
【００４１】
本発明に係る吸い込みポンプ２０は、吸い込み部１０の吸い込みホース１１に連結され、陰圧を発生させて吸い込みホース１１の内部を真空状態にし、大気と吸い込みホース１１の内部との圧力差に応じて吸い込み力を発生させ、海洋や河川に浮遊している油と水を吸い込んで第１の貯水槽３０に供給する。
【００４２】
第１の貯水槽３０は、油と水とを格納し、比重の低い油が、比重の高い水上に浮くようにして、油と水が前記吸い込み部１０から吸い込みホース１１を通じて供給されることによって、水と油の量が増加することで水の水位が高くなると同時に、油の水位も高くなり、水上に浮遊している油が第１の貯水槽３０の上部に設けられた油排出口３１を通じて第２の貯水槽４０に排出されるようにする。
【００４３】
よって、増加し続ける水をそのまま差し置けば、第１の貯水槽３０の油排出口３１に水が排出され、また、水が第１の貯水槽３０から溢れる可能性があるため、第１の貯水槽３０の底の近傍の下部への水の排出ができる水排出バルブ３２を設け、水の量に応じて閉めたり開けたりして水の水位の調節ができるようにする。
【００４４】
第２の貯水槽４０は、第１の貯水槽３０から油の供給を受けて格納するが、純粋な油のみが第１の貯水槽３０から流入されずに、少量ではあるが水と共に流入されることができるので、第１の貯水槽３０のように油排出バルブ４１を上部に形成して油格納タンク４３に格納する。
【００４５】
しかし、油排出バルブ４１の設置高さは、第１の貯水槽３０の油排出口３１の高さより低い高さで設け、油が第２の貯水槽４０から第１の貯水槽３０に逆流しないようにする。
【００４６】
また、第２の貯水槽４０の下部にも水排出バルブ４２を設けて、第２の貯水槽４０の下部に格納される水を排出することで水の水位の調節ができるようにする。
【００４７】
図４ａには、本発明に係る油回収装置の他の実施の形態が示されており、図４ｂには、本実施の形態に係る油回収装置を図４ａの直線Ａ−Ａ線に沿って切断した断面図が示されている。
【００４８】
この実施の形態の油回収装置は、第１の貯水槽３０が第２の貯水槽６０の内部に設けられ、第１の貯水槽３０から溢れる油は、第２の貯水槽の底面６１を通じて油排出口６２に排出され、油貯蔵タンク６３に格納される。
【００４９】
第１の貯水槽３０と第２の貯水槽６０は直方体の箱状であるが、円筒状、矩状などであることもできる。第１の貯水槽３０は、図に示すように、底面３４に吸い込みホース１１が連結されるホース連結口３３が設けられる。
【００５０】
ここで、吸い込みホース１１は、第２の貯水槽６０の底面６１を通過して、第１の貯水槽３０の底面３４に設けられたホース連結口３３に連結される。
【００５１】
また、第１の貯水槽３０の底の近傍の下部には、吸い込みホース１１から供給される水が溢れないように水排出口３２ａを形成し、水排出バルブ３２を設けて、水の量に応じて閉めたり開けたりして水の排出ができるようにする。
【００５２】
この実施の形態の油回収装置が設けられる船、バージ船などのような移動手段の甲板には、図４ａに示すように、ウインチ６５を設け、船の側面の上端にはロープローラー６６を設けて、前記ウインチ６５の回転リール６５ａに巻かれている昇降ロープ６７が吸い込み部１０の遮断板１３に連結され、前記ウインチ６５を動作させて前記昇降ロープ６７を巻いたり解いたりして、吸い込み部１０が海洋や河川の油が浮遊している水面と適切な間隔を維持するようにする。
【００５３】
この実施の形態の油回収装置は、第１の実施の形態に比べて第１の貯水槽３０が第２の貯水槽６０の内部に設けられるので、貯水槽が占めている体積をほぼ半分に減少させることができるので、小型船舶に設けて油回収作業を行うことが容易である。
【００５４】
図５ａには、本発明に係る油回収装置の第３の実施の形態が示されており、図５ｂには、本発明に係る油回収装置の第３の実施の形態の中心を通る直線に切断した断面図が示されている。
【００５５】
この実施の形態の油回収装置は、第１の貯水槽３０と第２の貯水槽６０が第３の貯水槽７０の内部に設けられ、第１の貯水槽３０の底面３４には、図４ｂに示すように、第２の貯水槽６０と第３の貯水槽７０の底面を通過した吸い込みホース１１がホース連結口３３に連結され、第１の貯水槽３０に水と油を供給する。
【００５６】
吸い込みホース１１から水と油の供給を受ける第１の貯水槽３０から溢れる油は第２の貯水槽６０に格納され、第１の貯水槽３０から溢れ続ける油によって、第２の貯水槽６０にも油が上端部まで満たされて溢れるようになる。
【００５７】
この際、第１の貯水槽３０の上端部が第２の貯水槽６０の上端部より、図５ｂに示すように、高さ差ｈ１だけ高くなるようにして、第２の貯水槽６０に満たされた油が溢れることで第１の貯水槽３０に逆流しないようにする。この際、第３の貯水槽７０の上端部は、第１の貯水槽３０の上端部より高くするか同一になるようにして、第１の貯水槽３０から溢れる油が第３の貯水槽７０から溢れないようにする。
【００５８】
第２の貯水槽６０に満たされた油が溢れることで第３の貯水槽７０に満たされるが、第３の貯水槽７０の底面７１には油排出口７２が設けられ、第３の貯水槽７０に満たされる油は油排出口７２を通じて、図４ａに示すように、油貯蔵タンク６３に格納される。
【００５９】
この第３の実施の形態の油回収装置は、２回にわたって油と水とを分離させるので、さらに高い純度の油の回収ができ、油と水とを分離する過程を繰り返す回数を増加させるほど、回収される油の純度を高めることができるので、４個以上の貯水槽を設けて、装置が占める体積は最小化しながら、一層純度を向上させた油の回収ができる機能を提供する。
【００６０】
ここで、第１の貯水槽３０と第２の貯水槽６０及び第３の貯水槽７０で構成される油回収装置の実施の形態について説明したが、回収される油の純度をさらに向上させることができる４個以上の貯水槽に対しても同様に、最外郭貯水槽の内部に残りの貯水槽を設け、第１の貯水槽３０と最外郭貯水槽との上端を他の貯水槽より高くなるようにして、第１の貯水槽３０から溢れる油が第２の貯水槽６０及び第３の貯水槽７０、及び第４の貯水槽、・・・にずっと満たされて溢れることで、最外郭貯水槽の底面に形成された油排出口を通じて油格納タンク６３に格納されるようにする。
【００６１】
ここでも、第１の貯水槽３０の底の近傍の下部に、吸い込みホース１１から供給される水が溢れないように、水排出口３２ａに水排出バルブ３２を設けて、水を外部に排出して水位の調節ができるようにする。
【００６２】
図６ａには、本発明に係る油回収装置の第４の実施の形態が示されており、図６ｂには、本発明に係る油回収装置の第４の実施の形態の中心を通る直線に切断した断面図が示されている。
【００６３】
この実施の形態の油回収装置は、第１の貯水槽３０と第２の貯水槽６０が第３の貯水槽７０の内部に設けられ、第１の貯水槽３０の底面３４には、図４ｂに示すように、第２の貯水槽６０と第３の貯水槽７０の底面を通過した吸い込みホース１１がホース連結口３３に連結され、第１の貯水槽３０に水と油を供給する。
【００６４】
さらに、第１の貯水槽３０の底面には第１のピストン３５が設けられ、前記第１のピストン３５を昇降させるピストンロッド３５ａが油圧シリンダー３６によって昇降するように構成される。
【００６５】
前述の実施の形態では、油と水が貯水槽に満たされるまで待たなければならなかったが、本実施の形態では、貯水槽に油と水が満たされるまで待たさずに、願う時期に前記第１のピストン３５を上昇させ、第１の貯水槽３０に格納された油を第２の貯水槽６０に供給して、油回収作業ができるようにする。
【００６６】
また、下部に溜まっている水を外部に抜くために、排水ホース３７を上から第１の貯水槽３０の底面まで下げて、排水ポンプ８０によって水を排出させる。
【００６７】
排水ホース３７は、吸い込みホース１１と同様に第１の貯水槽３０の底面３４に設けられることができ、この際には、排水ポンプ８０の代りに排水バルブを設けて、第１の貯水槽３０に水が一定量格納されれば、排水バルブを開けて外部に排出できるようにする。
【００６８】
第１の貯水槽３０から溢れる油を格納するように構成される第２の貯水槽６０の底面には、第１の貯水槽３０の外部を囲む第２のピストン８５が設けられ、第２のピストン８５を昇降させるピストンロッド８５ａが油圧シリンダー８６によって昇降するように構成される。
【００６９】
よって、第２の貯水槽６０に格納された油は、第２のピストン８５を上昇させ、第２の貯水槽６０に格納された油を第３の貯水槽７０に供給する。第３の貯水槽７０の底面７１には油排出口７２が設けられ、第３の貯水槽７０に溢れた油を油格納タンク６３に格納するようになる。
【００７０】
ここで、第１の貯水槽３０と第２の貯水槽６０及び第３の貯水槽７０で構成される油回収装置の実施の形態について説明したが、４個以上の貯水槽に対しても同様に、最外郭貯水槽の内部に残りの貯水槽を設け、第１の貯水槽３０と最外郭貯水槽との上端を他の貯水槽より高くなるようにして、第１の貯水槽３０から溢れる油が、第２の貯水槽６０及び第３の貯水槽７０、及び第４の貯水槽、・・・にずっと満たされて溢れることで、最外郭貯水槽の底面に形成された油排出口を通じて油格納タンク６３に格納されるようにする。
【００７１】
以上、出願人は、本発明の多様な実施の形態を説明したが、このような実施の形態は、本発明の技術的思想を具現する一実施の形態に過ぎず、本発明の技術的思想を具現する如何なる変更例または修正例も本発明の範囲に属する。
【符号の説明】
【００７２】
１０  吸い込み部
１１  吸い込みホース
１２  浮き具
１３  遮断板
２０  吸い込みポンプ
３０  第１の貯水槽
３１  油排出口
３２、４２  水排出バルブ
３２ａ、４２ａ  水排出口
３３  ホース連結口
３４  底面
３５  第１のピストン
３６  油圧シリンダー
４０  第２の貯水槽
４１  油排出バルブ
６０  第２の貯水槽
７０  第３の貯水槽
８０  排水ポンプ
８５  第２のピストン
８６  油圧シリンダー
１００  船
【図１】
2015030455.tif 000003
【図２】
2015030455.tif 000004
【図３ａ】
2015030455.tif 000005
【図３ｂ】
2015030455.tif 000006
【図４ａ】
2015030455.tif 000007
【図４ｂ】
2015030455.tif 000008
【図５ａ】
2015030455.tif 000009
【図５ｂ】
2015030455.tif 000010
【図６ａ】
2015030455.tif 000011
【図６ｂ】
2015030455.tif 000012
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
海洋や河川に漏出されて浮遊している油を吸い込み、吸い込みホースを通じて吸い込みポンプと連結される吸い込み部と、
前記吸い込み部に吸い込み力を提供する吸い込みポンプと、
前記吸い込み部から吸い込まれる水と油との混合物を格納し、水上に浮遊している油を排出するように、上部に設けられる油排出口を備え、底の近傍の下部への水の排出ができるように水排出バルブを備える第１の貯水槽と、
前記第１の貯水槽の油排出口に連結され、前記第１の貯水槽に格納される水上に浮遊している油が流れ込むように格納し、上部に第１の貯水槽の油排出口の高さより低い高さで設けられ、油貯蔵タンクに油を排出する油排出バルブが設けられ、下部に格納された水を排出する水排出バルブが設けられる第２の貯水槽を含み、
前記吸い込み部は、前記吸い込みポンプに連結され、吸い込み力の提供を受ける吸い込みホースと、
前記吸い込みホースが内部に挿入される長さ調整管と、前記長さ調整管が上部から挿入される遮断板支持管と、海洋や河川に浮遊している油を吸い込むために、吸い込みホースの吸い込み口が水面と同一な水準に浮遊するように浮力を提供する浮き具と、前記吸い込みホースの吸い込み口から吸い込む際に、下に向いている吸い込み口の前面に一定間隔を空けて前記遮断板支持管の下端部に設けられ、水が直接に吸い込まれることを遮断するための遮断板と、前記遮断板支持管に挿入される長さ調整管を固定させる固定手段と、を含んで構成される
ことを特徴とする油回収装置。